(57)【要約】【課題】側壁部が外側板部と内側板部とを有し、内側板部から連設された底フラップで底板部に積層した底フラップが設けられた箱において、解体が容易であるとともに、箱の見栄えに支障がない箱を提供する。【解決手段】箱Ａにおいては、内側板部２６ａと底フラップ４０ａ間に切欠部Ｋ１ａ、Ｋ２ａが形成されるとともに、内側板部２６ｃと底フラップ４０ｃ間に切欠部Ｋ１ｃ、Ｋ２ｃが形成されている。また、内側板部２６ａの内側の面に、切欠部Ｋ１ａ、Ｋ２ａの基端から罫線Ｐ１、Ｐ３が形成され、内側板部２６ｃの内側の面に、切欠部Ｋ１ｃ、Ｋ２ｃの基端から罫線Ｑ１、Ｑ３が形成され、さらに、外側板部２２ａの内側の面に、罫線Ｐ２、Ｐ４が形成され、外側板部２２ｃの内側の面に、罫線Ｑ２、Ｑ４が形成されている。【選択図】図３
2016097986.tif 000002
【特許請求の範囲】
【請求項１】
シート状のブランクにより形成された箱であって、
互いに平行な相対する２辺と、該２辺と直角をなす互いに平行な他の相対する２辺とを有する底板部（１０）と、
底板部の相対する２辺から折れ線を介して連設された第１構成部であって、底板部から折れ線を介して連設された第１外側板部（２２ｂ、２２ｄ）と、第１内側板部（２６ｂ、２６ｄ）と、第１内側板部の下辺から折れ線を介して連設され第１内側板部の下辺に沿って形成された第１底フラップで、第１内側板部の第１底フラップ側の辺部の両側の端部位置よりも外側に突出した突状部（４２ｂ、４４ｂ、４２ｄ、４４ｄ）を有する第１底フラップ（４０ｂ、４０ｄ）とを有する第１構成部（Ａ２、Ａ４）と、
底板部の他の相対する２辺から折れ線を介して連設された第２構成部であって、底板部から折れ線を介して連設された第２外側板部（２２ａ、２２ｃ）と、第２外側板部の両側に折れ線を介して連設された第１延設フラップ（２８ａ、３０ａ、２８ｃ、３０ｃ）と、第２内側板部（２６ａ、２６ｃ）と、第２内側板部の両側に折れ線を介して連設された第２延設フラップ（３２ａ、３４ａ、３２ｃ、３４ｃ）と、第２内側板部の下辺から折れ線を介して連設された第２内側板部の下辺に沿って形成された第２底フラップ（４０ａ、４０ｃ）とを有する第２構成部（Ａ１、Ａ３）と、
を有し、
第２底フラップと第２内側板部間の一方の端部には、一方の第１底フラップ（４０ｄ）の突状部（４２ｄ、４４ｄ）が係止するための第１切欠部（Ｋ１ａ、Ｋ１ｃ）が設けられるとともに、他方の端部には、他方の第１底フラップ（４０ｂ）の突状部（４２ｂ、４４ｂ）が係止するための第２切欠部（Ｋ２ａ、Ｋ２ｃ）が設けられ、
第２内側板部には、第１切欠部の基端部から第２切欠部側に斜め上方に形成された第１罫線（Ｐ１、Ｑ１）と、第２切欠部の基端部から第１切欠部側に斜め上方に形成された第２罫線（Ｐ３、Ｑ３）とが設けられ、
第２外側板部には、箱の組立て状態において、第２内側板部と第２外側板部間の仮想中心面を中心に第１罫線と対称に形成された第３罫線（Ｐ２、Ｑ２）と、該仮想中心面を中心に第２罫線と対称に形成された第４罫線（Ｐ４、Ｑ４）とが形成され、
箱の組立て状態においては、第１構成部における第１外側板部と第１内側板部と、第２構成部における第２外側板部と第２内側板部と第１延設フラップと第２延設フラップとで底板部の辺部から立設した側壁部が構成され、第１延設フラップと第２延設フラップとは、第１外側板部と第１内側板部とで挟まれた状態となり、第１切欠部には、一方の第１底フラップの突状部が係止するとともに、第２切欠部には、他方の第２底フラップの突状部が係止し、一方の第１底フラップが第２底フラップにおける一方の第１底フラップ側の端部の上面に重なるとともに、他方の第１底フラップが第２底フラップにおける他方の第１底フラップ側の端部の上面に重なり、
組立て状態の箱を解体する際には、一対の第２構成部における一方の第２構成部における第２内側板部における第１罫線が形成された領域と第２外側板部における第３罫線が形成された領域を一方の手でつかむとともに、他方の第２構成部における第２内側板部における第１罫線が形成された領域と第２外側板部における第３罫線が形成された領域を他方の手でつかんだ後に、一対の第２構成部を外側に押し広げて、第１罫線及び第３罫線を介して第２構成部を湾曲させることにより、突状部の第１切欠部への係止が解除され、
一対の第２構成部における一方の第２構成部における第２内側板部における第２罫線が形成された領域と第２外側板部における第４罫線が形成された領域を一方の手でつかむとともに、他方の第２構成部における第２内側板部における第２罫線が形成された領域と第２外側板部における第４罫線が形成された領域を他方の手でつかんだ後に、一対の第２構成部を外側に押し広げて、第２罫線及び第４罫線を介して第２構成部を湾曲させることにより、突状部の第２切欠部への係止が解除されることを特徴とする箱。
【請求項２】
一対の第２構成部を外側に押し広げて、第１罫線及び第３罫線を介して第２構成部を湾曲させることにより、突状部の第１切欠部への係止が解除されると、一方の第１底フラップが第２底フラップの内側の辺部により押し上げられ、さらに、一方の第１底フラップから連設された第１内側板部が第１延設フラップと第２延設フラップの少なくともいずれかにより押し上げられ、
一対の第２構成部を外側に押し広げて、第２罫線及び第４罫線を介して第２構成部を湾曲させることにより、突状部の第２切欠部への係止が解除されると、他方の第１底フラップが第２底フラップの内側の辺部により押し上げられ、さらに、他方の第１底フラップから連設された第１内側板部が第１延設フラップと第２延設フラップの少なくともいずれかにより押し上げられることを特徴とする請求項１に記載の箱。
【請求項３】
第１罫線と第２罫線とは、第２内側板部の一方の面で箱の組立て状態において第２内側板部と対向する第２外側板部側の面に形成され、第３罫線と第４罫線とは、第２外側板部の一方の面で箱の組立て状態において第２外側板部と対向する第２内側板部側の面に形成されていることを特徴とする請求項１又は２に記載の箱。
【請求項４】
第１構成部が、第１外側板部と第１内側板部間に帯状の縁板部を有し、また、第２構成部が、第２外側板部と第２内側板部間に帯状の縁板部を有することを特徴とする請求項１又は２又は３に記載の箱。
【請求項５】
シート状のブランクにより形成された箱であって、
互いに平行な相対する２辺と、該２辺と直角をなす互いに平行な他の相対する２辺とを有する底板部（１０）と、
底板部の相対する２辺から折れ線を介して連設された第１構成部であって、底板部から折れ線を介して連設された第１外側板部（２２ｂ、２２ｄ）と、第１外側板部の底板部側とは反対側の辺部から折れ線を介して連設された帯状の第１縁板部（２４ｂ、２４ｄ）と、第１縁板部の第１外側板部側とは反対側の辺部から折れ線を介して連設された第１内側板部で、略方形状を呈する第１内側板部と（２６ｂ、２６ｄ）、第１内側板部の縁板部側とは反対側の辺部である下辺から折れ線を介して連設され第１内側板部の下辺に沿って形成された第１底フラップで、第１内側板部の第１底フラップ側の辺部の両側の端部位置よりも外側に突出した突状部（４２ｂ、４４ｂ、４２ｄ、４４ｄ）を有する第１底フラップ（４０ｂ、４０ｄ）とを有する第１構成部（Ａ２、Ａ４）と、
底板部の他の相対する２辺から折れ線を介して連設された第２構成部であって、底板部から折れ線を介して連設された第２外側板部（２２ａ、２２ｃ）と、第２外側板部の両側に折れ線を介して連設された第１延設フラップ（２８ａ、３０ａ、２８ｃ、３０ｃ）と、第２外側板部の底板部側とは反対側の辺部から折れ線を介して連設された帯状の第２縁板部（２４ａ、２４ｃ）と、第２縁板部の第２外側板部側とは反対側の辺部から折れ線を介して連設された第２内側板部で、略方形状を呈する第２内側板部（２６ａ、２６ｃ）と、第２内側板部の両側に折れ線を介して連設された第２延設フラップ（３２ａ、３４ａ、３２ｃ、３４ｃ）と、第２内側板部の下辺から折れ線を介して連設された第２内側板部の下辺に沿って形成された第２底フラップ（４０ａ、４０ｃ）とを有する第２構成部（Ａ１、Ａ３）と、
を有し、
第２底フラップと第２内側板部間の一方の端部には、一方の第１底フラップ（４０ｄ）の突状部（４２ｄ、４４ｄ）が係止するための第１切欠部（Ｋ１ａ、Ｋ１ｃ）が設けられるとともに、他方の端部には、他方の第１底フラップ（４０ｂ）の突状部（４２ｂ、４４ｂ）が係止するための第２切欠部（Ｋ２ａ、Ｋ２ｃ）が設けられ、
第２内側板部には、第１切欠部の基端部から第２切欠部側に斜め上方に形成された直線状の第１罫線（Ｐ１、Ｑ１）と、第２切欠部の基端部から第１切欠部側に斜め上方に形成された直線状の第２罫線（Ｐ３、Ｑ３）とが設けられ、
第２外側板部には、箱の組立て状態において、第２内側板部と第２外側板部間の仮想中心面を中心に第１罫線と対称に形成された第３罫線（Ｐ２、Ｑ２）と、該仮想中心面を中心に第２罫線と対称に形成された第４罫線（Ｐ４、Ｑ４）とが形成され、
第１罫線と第２罫線とは、第２内側板部の一方の面で箱の組立て状態において第２内側板部と対向する第２外側板部側の面に形成され、第３罫線と第４罫線とは、第２外側板部の一方の面で箱の組立て状態において第２外側板部と対向する第２内側板部側の面に形成され、
箱の組立て状態においては、第１構成部における第１外側板部と第１内側板部と、第２構成部における第２外側板部と第２内側板部と第１延設フラップと第２延設フラップとで底板部の辺部から立設した側壁部が構成され、第１延設フラップと第２延設フラップとは、第１外側板部と第１内側板部とで挟まれた状態となり、第１切欠部には、一方の第１底フラップの突状部が係止するとともに、第２切欠部には、他方の第２底フラップの突状部が係止し、一方の第１底フラップが第２底フラップにおける一方の第１底フラップ側の端部の上面に重なるとともに、他方の第１底フラップが第２底フラップにおける他方の第１底フラップ側の端部の上面に重なり、
組立て状態の箱を解体する際には、一対の第２構成部における一方の第２構成部における第２内側板部における第１罫線が形成された領域と第２外側板部における第３罫線が形成された領域を一方の手でつかむとともに、他方の第２構成部における第２内側板部における第１罫線が形成された領域と第２外側板部における第３罫線が形成された領域を他方の手でつかんだ後に、一対の第２構成部を外側に押し広げて、第１罫線及び第３罫線を介して第２構成部を湾曲させることにより、突状部の第１切欠部への係止が解除され、
一対の第２構成部における一方の第２構成部における第２内側板部における第２罫線が形成された領域と第２外側板部における第４罫線が形成された領域を一方の手でつかむとともに、他方の第２構成部における第２内側板部における第２罫線が形成された領域と第２外側板部における第４罫線が形成された領域を他方の手でつかんだ後に、一対の第２構成部を外側に押し広げて、第２罫線及び第４罫線を介して第２構成部を湾曲させることにより、突状部の第２切欠部への係止が解除されることを特徴とする箱。
【請求項６】
一対の第２構成部を外側に押し広げて、第１罫線及び第３罫線を介して第２構成部を湾曲させることにより、突状部の第１切欠部への係止が解除されると、一方の第１底フラップが第２底フラップの内側の辺部により押し上げられ、さらに、一方の第１底フラップから連設された第１内側板部が第１延設フラップと第２延設フラップの少なくともいずれかにより押し上げられ、
一対の第２構成部を外側に押し広げて、第２罫線及び第４罫線を介して第２構成部を湾曲させることにより、突状部の第２切欠部への係止が解除されると、他方の第１底フラップが第２底フラップの内側の辺部により押し上げられ、さらに、他方の第１底フラップから連設された第１内側板部が第１延設フラップと第２延設フラップの少なくともいずれかにより押し上げられることを特徴とする請求項５に記載の箱。
【請求項７】
第１罫線と第２罫線に沿って切込みが形成されていることを特徴とする請求項１又は２又は３又は４又は５又は６に記載の箱。
【請求項８】
第１延設フラップが、該第１延設フラップを挟持する第１外側板部とは分離したフラップであることを特徴とする請求項１又は２又は３又は４又は５又は６又は７に記載の箱。
【請求項９】
第１延設フラップが、該第１延設フラップを挟持する第１外側板部と折れ線を介して連設され、箱の組立て状態において、第１延設フラップが二つ折りにした状態で第１外側板部と第１内側板部とで挟まれた状態となることを特徴とする請求項１又は２又は３又は４又は５又は６又は７又は８に記載の箱。
【請求項１０】
第１罫線は第２内側板部の上辺に対して略４５度の角度をなし、第２罫線は第２内側板部の上辺に対して略４５度の角度をなし、第３罫線は第２外側板部の上辺に対して略４５度の角度をなし、第２罫線は第２外側板部の上辺に対して略４５度の角度をなすことを特徴とする請求項１又は２又は３又は４又は５又は６又は７又は８又は９に記載の箱。
【請求項１１】
突状部が、第１内側板部の下辺の端部から外側に傾斜した端辺を有し、第１底フラップは、第１内側板部の下辺側である基端から先端に向けて幅広となるテーパ状を呈することを特徴とする請求項１又は２又は３又は４又は５又は６又は７又は８又は９又は１０に記載の箱。
【請求項１２】
第１罫線は、第２内側板部と第２底フラップ間の折れ線が第１切欠部の基端部と接する位置から形成され、第２罫線は第２内側板部と第２底フラップ間の折れ線が第２切欠部の基端部と接する位置から形成されていることを特徴とする請求項１又は２又は３又は４又は５又は６又は７又は８又は９又は１０又は１１に記載の箱。
【発明の詳細な説明】
【技術分野】
【０００１】
本発明は、箱に関するものであり、特に、側壁部が外側板部と内側板部とを有し、内側板部から連設された折返し板部で底板部に積層した折返し板部が設けられた箱に関するものである。
【背景技術】
【０００２】
従来より、Ｃ式（又は身蓋式）パッケージと呼ばれる箱が存在する。図１３、図１４に示す箱Ｂは、Ｃ式パッケージの例であり、図１３、図１４に示す箱Ｂは、底板部１１０と、該底板部１１０の外周から立設した側壁部１２０を有し、側壁部１２０は、外側板部１２２と、縁板部１２４と、内側板部１２６等から構成され、さらに、内側板部１２６の下端からは折返し板部１４０が設けられている。この折返し板部１４０は、細長の長方形状を呈し、隣接する折返し板部１４０同士は、その側端同士が接する状態で設けられている。そして、この折返し板部１４０は、底板部１１０の上面に積層した状態で設けられている。
【０００３】
また、特許文献１に記載の紙箱においては、組立て状態を強固にするために、内部側面部材１８ａ、１８ｂに沿って設けられた補強片２０ａ、２０ｂの両側に突片２２ａ、２２ｂを設けるとともに、別の内部側面部材１８ｃ、１８ｄの長手方向における両端の隅にＬ字状の切欠部２４ｃ、２４ｄを設けて、箱を組み立てた状態では、突片２２ａ、２２ｂを切欠部２４ｃ、２４ｄに入れた状態となり、一方、廃棄を容易とするために、解体に際して指を掛けるための孔３７が設けられている。
【先行技術文献】
【特許文献】
【０００４】
【特許文献１】特開２００１−１８０６５３号公報
【発明の概要】
【発明が解決しようとする課題】
【０００５】
しかし、図１３、図１４に示す箱の場合には、箱を解体させようとする場合には、折返し板部１４０を持ち上げる必要があるが、折返し板部１４０が底板部１１０に積層した状態となっているので、折返し板部１４０を持ち上げるのが困難であり、解体が困難であるという問題があった。
【０００６】
また、特許文献１に記載の紙箱においては、指をかけるための孔３７が設けられているが、突片２２ａ、２２ｂと切欠部２４ｃ、２４ｄが係合しているため、孔３７に指を入れて内部側面部材１８ａ、１８ｂを引き上げようとしても、強い力で引き上げなければ成らず、また、孔３７が設けられるため見栄えが悪いという問題があった。
【０００７】
そこで、本発明は、側壁部が外側板部と内側板部とを有し、内側板部から連設された底フラップで底板部に積層した底フラップが設けられた箱において、解体が容易であるとともに、箱の見栄えに支障がない箱を提供することを目的とするものである。
【課題を解決するための手段】
【０００８】
本発明は上記問題点を解決するために創作されたものであって、第１には、シート状のブランクにより形成された箱であって、互いに平行な相対する２辺と、該２辺と直角をなす互いに平行な他の相対する２辺とを有する底板部（１０）（「方形状を呈する底板部（１０）」としてもよい）と、底板部の相対する２辺から折れ線を介して連設された第１構成部であって、底板部から折れ線を介して連設された第１外側板部（２２ｂ、２２ｄ）と、第１内側板部（２６ｂ、２６ｄ）と、第１内側板部の下辺から折れ線を介して連設され第１内側板部の下辺に沿って形成された第１底フラップで、第１内側板部の第１底フラップ側の辺部の両側の端部位置よりも外側に突出した突状部（４２ｂ、４４ｂ、４２ｄ、４４ｄ）を有する第１底フラップ（４０ｂ、４０ｄ）とを有する第１構成部（Ａ２、Ａ４）と、底板部の他の相対する２辺から折れ線を介して連設された第２構成部であって、底板部から折れ線を介して連設された第２外側板部（２２ａ、２２ｃ）と、第２外側板部の両側に折れ線を介して連設された第１延設フラップ（２８ａ、３０ａ、２８ｃ、３０ｃ）と、第２内側板部（２６ａ、２６ｃ）と、第２内側板部の両側に折れ線を介して連設された第２延設フラップ（３２ａ、３４ａ、３２ｃ、３４ｃ）と、第２内側板部の下辺から折れ線を介して連設された第２内側板部の下辺に沿って形成された第２底フラップ（４０ａ、４０ｃ）とを有する第２構成部（Ａ１、Ａ３）と、を有し、第２底フラップと第２内側板部間の一方の端部には、一方の第１底フラップ（４０ｄ）の突状部（４２ｄ、４４ｄ）が係止するための第１切欠部（Ｋ１ａ、Ｋ１ｃ）が設けられるとともに、他方の端部には、他方の第１底フラップ（４０ｂ）の突状部（４２ｂ、４４ｂ）が係止するための第２切欠部（Ｋ２ａ、Ｋ２ｃ）が設けられ、第２内側板部には、第１切欠部の基端部から（「第１切欠部の基端部から第２内側板部の上端まで」としてもよい）第２切欠部側に斜め上方に形成された第１罫線（Ｐ１、Ｑ１）と、第２切欠部の基端部から（「第２切欠部の基端部から第２内側板部の上端まで」としてもよい）第１切欠部側に斜め上方に形成された第２罫線（Ｐ３、Ｑ３）とが設けられ、第２外側板部には、箱の組立て状態において、第２内側板部と第２外側板部間の仮想中心面を中心に第１罫線と対称に形成された第３罫線（Ｐ２、Ｑ２）と、該仮想中心面を中心に第２罫線と対称に形成された第４罫線（Ｐ４、Ｑ４）とが形成され（「第２外側板部には、第２構成部の展開状態において、第１罫線と線対称に形成された第３罫線（Ｐ２、Ｑ２）と、第２罫線と線対称に形成された第４罫線（Ｐ４、Ｑ４）が形成され」としてもよい）、箱の組立て状態においては、第１構成部における第１外側板部と第１内側板部と、第２構成部における第２外側板部と第２内側板部と第１延設フラップと第２延設フラップとで底板部の辺部から立設した側壁部が構成され、第１延設フラップと第２延設フラップとは、第１外側板部と第１内側板部とで挟まれた状態となり、第１切欠部には、一方の第１底フラップの突状部が係止するとともに、第２切欠部には、他方の第２底フラップの突状部が係止し、一方の第１底フラップが第２底フラップにおける一方の第１底フラップ側の端部の上面に重なるとともに、他方の第１底フラップが第２底フラップにおける他方の第１底フラップ側の端部の上面に重なり、組立て状態の箱を解体する際には、一対の第２構成部における一方の第２構成部における第２内側板部における第１罫線が形成された領域と第２外側板部における第３罫線が形成された領域を一方の手でつかむとともに、他方の第２構成部における第２内側板部における第１罫線が形成された領域と第２外側板部における第３罫線が形成された領域を他方の手でつかんだ後に、一対の第２構成部を外側に押し広げて、第１罫線及び第３罫線を介して第２構成部を湾曲させることにより、突状部の第１切欠部への係止が解除され、一対の第２構成部における一方の第２構成部における第２内側板部における第２罫線が形成された領域と第２外側板部における第４罫線が形成された領域を一方の手でつかむとともに、他方の第２構成部における第２内側板部における第２罫線が形成された領域と第２外側板部における第４罫線が形成された領域を他方の手でつかんだ後に、一対の第２構成部を外側に押し広げて、第２罫線及び第４罫線を介して第２構成部を湾曲させることにより、突状部の第２切欠部への係止が解除されることを特徴とする。
【０００９】
第１の構成の箱においては、組立て状態の箱の解体に際して、第２構成部における端部付近（つまり、第１罫線と第２罫線が形成された領域）を両手でつかんで外側に押し広げるという簡単な操作により解体を行なうことができるので、解体が容易である。特に、第１罫線や第２罫線は第１切欠部や第２切欠部の基端部から形成され、第３罫線や第４罫線は第１罫線及び第２罫線における対応する罫線と対称に形成されているので、第２構成部を大きく湾曲させることができ、突状部との係合を解除させやすい。また、第１罫線〜第４罫線は、第２内側板部や第２外側板部の外側の面に形成されていても、罫線自体は、穴部や切欠きと異なり目立たないことから、箱の見栄えに支障はない。また、第１罫線〜第４罫線が、第２内側板部や第２外側板部の内側の面に形成されている場合には、外側から罫線を視認できないので、箱の見栄えにはより好適である。
【００１０】
なお、第１の構成において、「第１罫線及び第３罫線を介して第２構成部を湾曲させることにより、突状部の第１切欠部への係止が解除され、」を「第１罫線及び第３罫線を介して第２構成部を湾曲させることにより、突状部の第１切欠部への係止が解除され、第１切欠部への係止が解除された突状部を有する第１底フラップを備えた第１構成部がシート状に復帰しようとする力により第１内側板部が上方に浮き上がり、」としてもよく、また、第１の構成において、「第２罫線及び第４罫線を介して第２構成部を湾曲させることにより、突状部の第２切欠部への係止が解除される」を「第２罫線及び第４罫線を介して第２構成部を湾曲させることにより、突状部の第２切欠部への係止が解除され、第２切欠部への係止が解除された突状部を有する第１底フラップを備えた第１構成部がシート状に復帰しようとする力により第１内側板部が上方に浮き上がる」としてもよい。
【００１１】
また、第２には、上記第１の構成において、一対の第２構成部を外側に押し広げて、第１罫線及び第３罫線を介して第２構成部を湾曲させることにより、突状部の第１切欠部への係止が解除されると、一方の第１底フラップが第２底フラップの内側の辺部により押し上げられ、さらに、一方の第１底フラップから連設された第１内側板部が第１延設フラップと第２延設フラップの少なくともいずれかにより押し上げられ、
一対の第２構成部を外側に押し広げて、第２罫線及び第４罫線を介して第２構成部を湾曲させることにより、突状部の第２切欠部への係止が解除されると、他方の第１底フラップが第２底フラップの内側の辺部により押し上げられ、さらに、他方の第１底フラップから連設された第１内側板部が第１延設フラップと第２延設フラップの少なくともいずれかにより押し上げられることを特徴とする。
【００１２】
また、第３には、上記第１又は第２の構成において、第１罫線と第２罫線とは、第２内側板部の一方の面で箱の組立て状態において第２内側板部と対向する第２外側板部側の面に形成され、第３罫線と第４罫線とは、第２外側板部の一方の面で箱の組立て状態において第２外側板部と対向する第２内側板部側の面に形成されていることを特徴とする。よって、第１罫線〜第４罫線が、第２内側板部や第２外側板部の内側の面に形成されているので、外側から罫線を視認できず、箱の見栄えによってより好適である。
【００１３】
また、第４には、上記第１から第３までのいずれかの構成において、第１構成部が、第１外側板部と第１内側板部間に帯状の縁板部を有し、また、第２構成部が、第２外側板部と第２内側板部間に帯状の縁板部を有することを特徴とする。
【００１４】
また、第５には、シート状のブランクにより形成された箱であって、互いに平行な相対する２辺と、該２辺と直角をなす互いに平行な他の相対する２辺とを有する底板部（１０）（「方形状を呈する底板部（１０）」としてもよい）と、底板部の相対する２辺から折れ線を介して連設された第１構成部であって、底板部から折れ線を介して連設された第１外側板部（２２ｂ、２２ｄ）と、第１外側板部の底板部側とは反対側の辺部から折れ線を介して連設された帯状の第１縁板部（２４ｂ、２４ｄ）と、第１縁板部の第１外側板部側とは反対側の辺部から折れ線を介して連設された第１内側板部で、略方形状を呈する第１内側板部と（２６ｂ、２６ｄ）、第１内側板部の縁板部側とは反対側の辺部である下辺から折れ線を介して連設され第１内側板部の下辺に沿って形成された第１底フラップで、第１内側板部の第１底フラップ側の辺部の両側の端部位置よりも外側に突出した突状部（４２ｂ、４４ｂ、４２ｄ、４４ｄ）を有する第１底フラップ（４０ｂ、４０ｄ）とを有する第１構成部（Ａ２、Ａ４）と、底板部の他の相対する２辺から折れ線を介して連設された第２構成部であって、底板部から折れ線を介して連設された第２外側板部（２２ａ、２２ｃ）と、第２外側板部の両側に折れ線を介して連設された第１延設フラップ（２８ａ、３０ａ、２８ｃ、３０ｃ）と、第２外側板部の底板部側とは反対側の辺部から折れ線を介して連設された帯状の第２縁板部（２４ａ、２４ｃ）と、第２縁板部の第２外側板部側とは反対側の辺部から折れ線を介して連設された第２内側板部で、略方形状を呈する第２内側板部（２６ａ、２６ｃ）と、第２内側板部の両側に折れ線を介して連設された第２延設フラップ（３２ａ、３４ａ、３２ｃ、３４ｃ）と、第２内側板部の下辺から折れ線を介して連設された第２内側板部の下辺に沿って形成された第２底フラップ（４０ａ、４０ｃ）とを有する第２構成部（Ａ１、Ａ３）と、を有し、第２底フラップと第２内側板部間の一方の端部には、一方の第１底フラップ（４０ｄ）の突状部（４２ｄ、４４ｄ）が係止するための第１切欠部（Ｋ１ａ、Ｋ１ｃ）が設けられるとともに、他方の端部には、他方の第１底フラップ（４０ｂ）の突状部（４２ｂ、４４ｂ）が係止するための第２切欠部（Ｋ２ａ、Ｋ２ｃ）が設けられ、第２内側板部には、第１切欠部の基端部から（「第１切欠部の基端部から第２内側板部の上端まで」としてもよい）第２切欠部側に斜め上方に形成された直線状の第１罫線（Ｐ１、Ｑ１）と、第２切欠部の基端部から（「第２切欠部の基端部から第２内側板部の上端まで」としてもよい）第１切欠部側に斜め上方に形成された直線状の第２罫線（Ｐ３、Ｑ３）とが設けられ、第２外側板部には、箱の組立て状態において、第２内側板部と第２外側板部間の仮想中心面を中心に第１罫線と対称に形成された第３罫線（Ｐ２、Ｑ２）と、該仮想中心面を中心に第２罫線と対称に形成された第４罫線（Ｐ４、Ｑ４）とが形成され（「第２外側板部には、第２構成部の展開状態において、第１罫線と線対称に形成された第３罫線（Ｐ２、Ｑ２）と、第２罫線と線対称に形成された第４罫線（Ｐ４、Ｑ４）が形成され」としてもよい）、第１罫線と第２罫線とは、第２内側板部の一方の面で箱の組立て状態において第２内側板部と対向する第２外側板部側の面に形成され、第３罫線と第４罫線とは、第２外側板部の一方の面で箱の組立て状態において第２外側板部と対向する第２内側板部側の面に形成され、箱の組立て状態においては、第１構成部における第１外側板部と第１内側板部と、第２構成部における第２外側板部と第２内側板部と第１延設フラップと第２延設フラップとで底板部の辺部から立設した側壁部が構成され、第１延設フラップと第２延設フラップとは、第１外側板部と第１内側板部とで挟まれた状態となり、第１切欠部には、一方の第１底フラップの突状部が係止するとともに、第２切欠部には、他方の第２底フラップの突状部が係止し、一方の第１底フラップが第２底フラップにおける一方の第１底フラップ側の端部の上面に重なるとともに、他方の第１底フラップが第２底フラップにおける他方の第１底フラップ側の端部の上面に重なり、組立て状態の箱を解体する際には、一対の第２構成部における一方の第２構成部における第２内側板部における第１罫線が形成された領域と第２外側板部における第３罫線が形成された領域を一方の手でつかむとともに、他方の第２構成部における第２内側板部における第１罫線が形成された領域と第２外側板部における第３罫線が形成された領域を他方の手でつかんだ後に、一対の第２構成部を外側に押し広げて、第１罫線及び第３罫線を介して第２構成部を湾曲させることにより、突状部の第１切欠部への係止が解除され、一対の第２構成部における一方の第２構成部における第２内側板部における第２罫線が形成された領域と第２外側板部における第４罫線が形成された領域を一方の手でつかむとともに、他方の第２構成部における第２内側板部における第２罫線が形成された領域と第２外側板部における第４罫線が形成された領域を他方の手でつかんだ後に、一対の第２構成部を外側に押し広げて、第２罫線及び第４罫線を介して第２構成部を湾曲させることにより、突状部の第２切欠部への係止が解除されることを特徴とする。
【００１５】
第５の構成の箱においては、組立て状態の箱の解体に際して、第２構成部における端部付近（つまり、第１罫線と第２罫線が形成された領域）を両手でつかんで外側に押し広げるという簡単な操作により解体を行なうことができるので、解体が容易である。特に、第１罫線や第２罫線は第１切欠部や第２切欠部の基端部から形成され、第３罫線や第４罫線は第１罫線及び第２罫線における対応する罫線と対称に形成されているので、第２構成部を大きく湾曲させることができ、突状部との係合を解除させやすい。また、第１罫線〜第４罫線が、第２内側板部や第２外側板部の内側の面に形成されているので、外側から罫線を視認できず、箱の見栄えに支障はない。
【００１６】
なお、第５の構成において、「第１罫線及び第３罫線を介して第２構成部を湾曲させることにより、突状部の第１切欠部への係止が解除され、」を「第１罫線及び第３罫線を介して第２構成部を湾曲させることにより、突状部の第１切欠部への係止が解除され、第１切欠部への係止が解除された突状部を有する第１底フラップを備えた第１構成部がシート状に復帰しようとする力により第１内側板部が上方に浮き上がり、」としてもよく、また、第５の構成において、「第２罫線及び第４罫線を介して第２構成部を湾曲させることにより、突状部の第２切欠部への係止が解除される」を「第２罫線及び第４罫線を介して第２構成部を湾曲させることにより、突状部の第２切欠部への係止が解除され、第２切欠部への係止が解除された突状部を有する第１底フラップを備えた第１構成部がシート状に復帰しようとする力により第１内側板部が上方に浮き上がる」としてもよい。
【００１７】
また、第６には、上記第５の構成において、一対の第２構成部を外側に押し広げて、第１罫線及び第３罫線を介して第２構成部を湾曲させることにより、突状部の第１切欠部への係止が解除されると、一方の第１底フラップが第２底フラップの内側の辺部により押し上げられ、さらに、一方の第１底フラップから連設された第１内側板部が第１延設フラップと第２延設フラップの少なくともいずれかにより押し上げられ、
一対の第２構成部を外側に押し広げて、第２罫線及び第４罫線を介して第２構成部を湾曲させることにより、突状部の第２切欠部への係止が解除されると、他方の第１底フラップが第２底フラップの内側の辺部により押し上げられ、さらに、他方の第１底フラップから連設された第１内側板部が第１延設フラップと第２延設フラップの少なくともいずれかにより押し上げられることを特徴とする。
【００１８】
また、第７には、上記第１から第６までのいずれかの構成において、第１罫線と第２罫線に沿って切込みが形成されていることを特徴とする。よって、第２内側板部の第１罫線や第２罫線を介した湾曲を容易とすることができ、突状部の係止の解除を容易とすることができる。また、第１罫線と第２罫線が箱の内側に形成されていて、外部から視認できない場合でも、切込みの位置により第１罫線及び第２罫線の位置を推測することができる。
【００１９】
また、第８には、上記第１から第７までのいずれかの構成において、第１延設フラップが、該第１延設フラップを挟持する第１外側板部とは分離したフラップであることを特徴とする。
【００２０】
また、第９には、上記第１から第７までのいずれかの構成において、第１延設フラップが、該第１延設フラップを挟持する第１外側板部と折れ線を介して連設され、箱の組立て状態において、第１延設フラップが二つ折りにした状態で第１外側板部と第１内側板部とで挟まれた状態となることを特徴とする。
【００２１】
また、第１０には、上記第１から第９までのいずれかの構成において、第１罫線は第２内側板部の上辺に対して略４５度の角度をなし、第２罫線は第２内側板部の上辺に対して略４５度の角度をなし、第３罫線は第２外側板部の上辺に対して略４５度の角度をなし、第２罫線は第２外側板部の上辺に対して略４５度の角度をなすことを特徴とする。
【００２２】
また、第１１には、上記第１から第１０までのいずれかの構成において、突状部が、第１内側板部の下辺の端部から外側に傾斜した端辺を有し、第１底フラップは、第１内側板部の下辺側である基端から先端に向けて幅広となるテーパ状を呈することを特徴とする。
【００２３】
また、第１２には、上記第１から第１１までのいずれかの構成において、第１罫線は、第２内側板部と第２底フラップ間の折れ線が第１切欠部の基端部と接する位置から形成され、第２罫線は第２内側板部と第２底フラップ間の折れ線が第２切欠部の基端部と接する位置から形成されていることを特徴とする。
【発明の効果】
【００２４】
本発明に基づく箱によれば、組立て状態の箱の解体に際して、第２構成部における端部付近（つまり、第１罫線と第２罫線が形成された領域）を両手でつかんで外側に押し広げるという簡単な操作により解体を行なうことができるので、解体が容易である。また、第１罫線〜第４罫線は、第２内側板部や第２外側板部の外側の面に形成されていても、罫線自体は、穴部や切欠きと異なり目立たないことから、箱の見栄えに支障はない。また、第１罫線〜第４罫線が、第２内側板部や第２外側板部の内側の面に形成されている場合には、外側から罫線を視認できないので、箱の見栄えにはより好適である。
【図面の簡単な説明】
【００２５】
【図１】箱の斜視図である。
【図２】図１の要部拡大図である。
【図３】箱の内側の面を示す展開図である。
【図４】図３の要部拡大図である。
【図５】図３の要部拡大図である。
【図６】箱の外側の面を示す展開図である。
【図７】箱の組立て途中の状態を示す斜視図である。
【図８】箱の解体方法を示す説明図である。
【図９】箱の解体方法を示す説明図である。
【図１０】箱の解体方法を示す説明図である。
【図１１】箱の解体方法を示す説明図である。
【図１２】箱の他の例を示す展開図である。
【図１３】従来の箱を示す展開図である。
【図１４】従来の箱を示す斜視図である。
【発明を実施するための形態】
【００２６】
本発明においては、側壁部が外側板部と内側板部とを有し、内側板部から連設された折返し板部で底板部に積層した折返し板部が設けられた箱において、解体が容易であるとともに、箱の見栄えに支障がない箱を提供するという目的を以下のようにして実現した。
【００２７】
本発明に基づく箱Ａは、図１に示すように構成され、底板部１０と、側壁部２０ａと、側壁部２０ｂと、側壁部２０ｃと、側壁部２０ｄとを有している。このように、底板部１０と、側壁部２０ａ〜２０ｄによって、箱Ａは上部が開口した箱状に形成され、内部に収納空間を有した構成となっている。
【００２８】
この箱Ａの詳細について、展開状態を示す図３〜図６を主として利用して説明する。箱Ａは、図３、図６に示す展開状態の１枚のシート状のブランク（具体的には、段ボール製（例えば、薄型段ボール製）のブランクであり、厚紙製のブランク等の他の紙製のブランクでもよい）を組み立てることにより形成されている。つまり、箱Ａは、段ボール材（特に、両面段ボール材）等の紙製の箱である。段ボールにおける断面略波形形状の中芯の段の方向は、図３における円内に示す方向（Ｙ１−Ｙ２方向）となっている。図面において、Ｙ１−Ｙ２方向は、Ｘ１−Ｘ２方向と直角な方向を示している。なお、図３は、箱Ａの内側の展開状態を示し、図６は箱Ａの外側の展開状態を示すものである。
【００２９】
まず、底板部１０は、箱の底面を構成する部材であり、方形状の板状に形成されている。つまり、底板部１０の正面側（Ｙ１側）の辺部と背面側（Ｙ１側）の辺部は、Ｘ１−Ｘ２方向に形成され、底板部１０の右側面側（Ｘ２側）の辺部と左側面側（Ｘ１側）の辺部は、Ｙ１−Ｙ２方向に形成されている。
【００３０】
また、底板部１０のＹ１側（正面側）の辺部からは折れ線を介して外側板部（第２外側板部）２２ａが連設されている。この外側板部２２ａは、略長方形状を呈し、横方向（Ｘ１−Ｘ２方向）には底板部１０と同じ幅を有している。この外側板部２２ａの両側には、延設フラップ（第１延設フラップ）２８ａ、３０ａが折れ線を介して連設されている。すなわち、外側板部２２ａのＸ１側の辺部からは折れ線を介して延設フラップ２８ａが形成され、また、外側板部２２ａのＸ２側の辺部からは折れ線を介して延設フラップ３０ａが形成されている。この延設フラップ２８ａ、３０ａはともに略台形形状を呈している。なお、延設フラップ２８ａは、外側板部２２ｄと分離した構成であり（つまり、外側板部２２ｄとは連設されておらず、隣接箇所は切込みにより区画されている）、延設フラップ３０ａは、外側板部２２ｂと分離した構成である（つまり、外側板部２２ｂとは連設されておらず、隣接箇所は切込みにより区画されている）。また、外側板部２２ａの底板部１０側とは反対側の辺部からは縁板部（第２縁板部）２４ａが折れ線を介して連設されている。この縁板部２４ａは、幅狭の帯状を呈し、組立て状態では、側壁部２０ａの上端部分を構成する。この縁板部２４ａの長手方向の長さは、外側板部２２ａの長手方向の長さと同一（略同一としてもよい）に形成されている。
【００３１】
また、縁板部２４ａの外側板部２２ａ側とは反対側の辺部からは内側板部（第２内側板部）２６ａが折れ線を介して連設されている。この内側板部２６ａは、略方形状を呈し、その幅（つまり、Ｙ１−Ｙ２方向の幅（組立て状態における高さ方向の幅））は、外側板部２２ａの幅（つまり、Ｙ１−Ｙ２方向の幅（組立て状態における高さ方向の幅））と同じか又は底板部１０の厚みを考慮して、外側板部２２ａの幅よりも若干小さく形成されている。また、内側板部２６ａの長手方向の長さ（つまりＸ１−Ｘ２方向の長さ）は、外側板部２２ａの長手方向の長さや縁板部２４ａの長手方向の長さよりも若干短く形成されている。
【００３２】
また、内側板部２６ａの両側には、延設フラップ（第２延設フラップ）３２ａ、３４ａが折れ線を介して連設されている。すなわち、内側板部２６ａのＸ１側の辺部からは折れ線を介して延設フラップ３２ａが形成されている。また、内側板部２６ａのＸ２側の辺部からは折れ線を介して延設フラップ３４ａが形成されている。この延設フラップ３２ａは、長方形状の１つの角部（延設フラップ２８ａ側の角部）にアールが設けられた形状を呈しており、また、この延設フラップ３４ａは、長方形状の１つの角部（延設フラップ３０ａ側の角部）にアールが設けられた形状を呈している。
【００３３】
また、内側板部２６ａの縁板部２４ａ側とは反対側の辺部からは底フラップ（第２底フラップ）４０ａが形成されている。
【００３４】
底フラップ４０ａは、内側板部２６ａの長手辺に沿って帯状に形成され、略細長長方形状を呈している。すなわち、底フラップ４０ａと内側板部２６ａ間の境界位置に沿って略コ字状の切込みＪ１、Ｊ２が設けられ、これにより、底フラップ４０ａには、略細長長方形状の突状部４４ａ、４６ａが設けられているので、底フラップ４０ａは、細長長方形状の本体部４２ａと、突状部４４ａ、４６ａとを有しているといえる。なお、突状部４４ａ、４６ａは、間隔を介して設けられている。
【００３５】
ここで、底フラップ４０ａの長手方向の長さは、内側板部２６ａの長手方向の長さと略同一又は若干短く形成され、両側の端部において（Ｙ１側を正面側とした場合には、左右両側の端部において）、内側板部２６ａとの間で切欠部Ｋ１ａ、Ｋ２ａが形成されている。
【００３６】
すなわち、切欠部Ｋ１ａは、底フラップ４０ａと内側板部２６ａ間の境界位置におけるＸ１側の端部からＸ２側に向けて直線状（直線帯状、直線溝状としてもよい）に形成され、切欠部Ｋ１ａの長さ（Ｘ１−Ｘ２方向の長さ）ｈ１は、底フラップ４０ｄの幅Ｌ１と略同一に形成され、長さｈ１は、少なくとも箱Ａの組立て状態において、底フラップ４０ｄの突状部４４ｄが係止する長さに形成されている。
【００３７】
同様に、切欠部Ｋ２ａは、底フラップ４０ａと内側板部２６ａ間の境界位置におけるＸ２側の端部からＸ１側に向けて直線状（直線帯状、直線溝状としてもよい）に形成され、切欠部Ｋ２ａの長さ（Ｘ１−Ｘ２方向の長さ）ｈ２は、底フラップ４０ｂの幅Ｌ２と略同一に形成され、長さｈ２は、少なくとも箱Ａの組立て状態において、底フラップ４０ｂの突状部４４ｂが係止する長さに形成されている。なお、切欠部Ｋ１ａの長さｈ１と切欠部Ｋ２ａの長さｈ２とは同一の長さとなっている。
【００３８】
また、切欠部Ｋ１ａの基端部（基端位置としてもよい）から内側斜め上方に向けて（つまり、切欠部Ｋ２ａ側に斜め上方に向けて）直線状の罫線Ｐ１が形成されている。厳密には、罫線Ｐ１は、内側板部２６ａと底フラップ４０ａ間の折れ線が切欠部Ｋ１ａの基端部と接する位置から形成されている（なお、該折れ線が基端部と接する位置でなくても、該基端部から形成されていればよい）。この罫線Ｐ１は、内側板部２６ａと縁板部２４ａ間の折れ線に対する角度α１が４５度（略４５度としてもよい）に形成され（よって、内側板部２６ａと底フラップ４０ａ間の折れ線と罫線Ｐ１も４５度（略４５度としてもよい）をなしている）、罫線Ｐ１は、箱に組み立てた状態での見栄えに支障を来さないために、箱Ａの組立て状態において、内側の面に形成されている。これにより、箱Ａの組立て状態においては、罫線Ｐ１は外側から視認できない。また、罫線Ｐ１における切欠部Ｋ１ａ側の部分には、罫線Ｐ１に沿って直線状の切込みＰ１ａが複数（図３、図６の例では２つ）形成されている。切込みＰ１ａは、内側板部２６ａの一方の面から他方の面まで貫通した切込みである。切込みＰ１ａが設けられることにより、罫線Ｐ１を介した湾曲（折曲げとしてもよい）が容易となるようになっている。
【００３９】
また、外側板部２２ａには、罫線Ｐ２が形成されていて、罫線Ｐ２は、箱Ａの組立て状態において、内側板部２６ａと外側板部２２ａ間の仮想中心面（内側板部２６ａと外側板部２２ａと平行で内側板部２６ａと外側板部２２ａと等距離の仮想中心面）を介して罫線Ｐ１と対称（面対称としてもよい）に形成されている。つまり、罫線Ｐ１における上端位置Ｐ１−１と罫線Ｐ２における上端位置Ｐ２−１とは、Ｘ１−Ｘ２方向において同じ位置に形成され、また、罫線Ｐ２の外側板部２２ａと縁板部２４ａの折れ線に対する角度α２は、α１と同一に形成され、４５度（略４５度としてもよい）に形成されている。つまり、正面側構成部Ａ１（後述）の展開状態において、罫線Ｐ１と罫線Ｐ２とは線対称（つまり、縁板部２４ａの外側板部２２ａ側の辺部及び縁板部２４ａの内側板部２６ａ側の辺部と平行な中心線で、縁板部２４ａの外側板部２２ａ側の辺部及び縁板部２４ａの内側板部２６ａ側の辺部と等距離にある中心線を中心に線対称）に形成されている。この罫線Ｐ２も箱に組み立てた状態での見栄えに支障を来さないために、箱Ａの組立て状態において、内側の面に形成されている（つまり、展開状態のブランクにおいては、罫線Ｐ１と罫線Ｐ２とは同じ面に形成されている）。
【００４０】
また、切欠部Ｋ２ａの基端部（基端位置としてもよい）から内側斜め上方に向けて（つまり、切欠部Ｋ１ａ側に斜め上方に向けて）直線状の罫線Ｐ３が形成されている。厳密には、罫線Ｑ１は、内側板部２６ａと底フラップ４０ａ間の折れ線が切欠部Ｋ２ａの基端部と接する位置から形成されている（なお、該折れ線が基端部と接する位置でなくても、該基端部から形成されていればよい）。この罫線Ｐ３は、内側板部２６ａと縁板部２４ａ間の折れ線に対する角度α３が４５度（略４５度としてもよい）に形成され、罫線Ｐ３は、箱に組み立てた状態での見栄えに支障を来さないために、箱Ａの組立て状態において、内側の面に形成されている。これにより、箱Ａの組立て状態においては、罫線Ｐ３は外側から視認できない。また、罫線Ｐ３における切欠部Ｋ２ａ側の部分には、罫線Ｐ３に沿って直線状の切込みＰ３ａが複数（図３、図６の例では２つ）形成されている。切込みＰ３ａは、内側板部２６ａの一方の面から他方の面まで貫通した切込みである。切込みＰ３ａが設けられることにより、罫線Ｐ３を介した湾曲（折曲げとしてもよい）が容易となるようになっている。
【００４１】
また、外側板部２２ａには、罫線Ｐ４が形成されていて、罫線Ｐ４は、箱Ａの組立て状態において、内側板部２６ａと外側板部２２ａ間の仮想中心面（内側板部２６ａと外側板部２２ａと平行で内側板部２６ａと外側板部２２ａと等距離の仮想中心面）を介して罫線Ｐ３と対称（面対称としてもよい）に形成されている。つまり、罫線Ｐ３における上端位置Ｐ３−１と罫線Ｐ４における上端位置Ｐ４−１とは、Ｘ１−Ｘ２方向において同じ位置に形成され、また、罫線Ｐ４の外側板部２２ａと縁板部２４ａの折れ線に対する角度α４は、α３と同一に形成され、４５度（略４５度としてもよい）に形成されている。つまり、正面側構成部Ａ１（後述）の展開状態において、罫線Ｐ３と罫線Ｐ４とは線対称（つまり、縁板部２４ｃの外側板部２２ｃ側の辺部及び縁板部２４ｃの内側板部２６ｃ側の辺部と平行な中心線で、縁板部２４ｃの外側板部２２ｃ側の辺部及び縁板部２４ｃの内側板部２６ｃ側の辺部と等距離にある中心線を中心に線対称）に形成されている。この罫線Ｐ４も箱に組み立てた状態での見栄えに支障を来さないために、箱Ａの組立て状態において、内側の面に形成されている（つまり、展開状態のブランクにおいては、罫線Ｐ３と罫線Ｐ４とは同じ面に形成されている）。
【００４２】
なお、底板部１０のＹ１側の辺部から形成された各部（すなわち、外側板部２２ａ、縁板部２４ａ、内側板部２６ａ、延設フラップ２８ａ、３０ａ、３２ａ、３４ａ、底フラップ４０ａ）は、展開状態において、線対称に形成され（すなわち、Ｙ１側を正面側とした場合には、左右対称に形成されている）、底板部１０のＹ１側の辺部から形成された各部により正面側構成部（第２構成部）Ａ１が構成される。また、側壁部２０ａは、正面側の側壁を形成するので、正面側構成部Ａ１から延設フラップ２８ａ、３０ａ、３２ａ、３４ａを除いた構成により構成されるといえる。
【００４３】
次に、底板部１０のＸ２側（右側面側）の辺部からは折れ線を介して外側板部（第１外側板部）２２ｂが連設されている。この外側板部２２ｂは、略長方形状を呈し、長手方向（Ｙ１−Ｙ２方向）には底板部１０と同じ幅を有している（外側板部２２ｂのＹ１−Ｙ２方向の長さは、底板部１０のＹ１−Ｙ２方向の長さと同一である）。また、外側板部２２ｂの底板部１０側とは反対側の辺部からは縁板部（第１縁板部）２４ｂが折れ線を介して連設されている。この縁板部２４ｂは、幅狭の帯状を呈し、組立て状態では、側壁部２０ｂの上端部分を構成する。この縁板部２４ｂの長手方向の長さは、外側板部２２ｂ側から内側板部２６ｂに向けて若干小さく形成されている。
【００４４】
また、縁板部２４ｂの外側板部２２ｂ側とは反対側の辺部からは内側板部（第１内側板部）２６ｂが折れ線を介して連設されている。この内側板部２６ｂは、略方形状を呈している。この内側板部２６ｂの幅（つまり、Ｘ１−Ｘ２方向の幅（組立て状態における高さ方向の幅））は、外側板部２２ｂの幅（つまり、Ｘ１−Ｘ２方向の幅（組立て状態における高さ方向の幅））と同じか又は底板部１０の厚みを考慮して、外側板部２２ｂの幅よりも若干小さく形成されている。また、内側板部２６ｂの長手方向の長さ（つまりＹ１−Ｙ２方向の長さ）は、外側板部２２ｂの長手方向の長さよりも若干短く形成されている。
【００４５】
また、内側板部２６ｂの縁板部２４ｂとは反対側の辺部からは底フラップ（第１底フラップ）４０ｂが形成されている。この底フラップ４０ｂは、細長の略長方形状を呈するが、長手方向の両側の端部は、外側に突出するようにテーパ状に形成されていて（つまり、底フラップ４０ｂの基端から先端に向けて幅広となるテーパ状を呈している）、底フラップ４０ｂの両側の端部には、略三角形状の突状部４２ｂ、４４ｂが形成されている。つまり、突状部４２ｂは、Ｙ１−Ｙ２方向には、内側板部２６ｂのＹ２側の端部よりもＹ２側に突出し、突状部４４ｂは、Ｙ１−Ｙ２方向には、内側板部２６ｂのＹ１側の端部よりもＹ１側に突出している。つまり、底フラップ４０ｂは細長長方形状の両側に突状部４２ｂと突状部４４ｂを設けた構成といえる。また、底フラップ４０ｂの幅（Ｘ１−Ｘ２方向の幅）は、底フラップ４０ａにおける本体部４２ａの幅（Ｙ１−Ｙ２方向の幅）と略同一に形成されている。
【００４６】
なお、底板部１０のＸ２側の辺部から形成された各部（すなわち、外側板部２２ｂ、縁板部２４ｂ、内側板部２６ｂ、底フラップ４０ｂ）は、展開状態において、線対称に形成され（すなわち、Ｙ１側を正面側とした場合には、前後対称に形成されている）、底板部１０のＸ２側の辺部から形成された各部により右側面側構成部（第１構成部）Ａ２が構成される。また、側壁部２０ｂは、右側面側の側壁を形成するので、右側面側構成部Ａ２と延設フラップ３０ａ、３４ａ、３０ｃ、３４ｃとから構成されているといえる。
【００４７】
次に、底板部１０のＹ２側（背面側）の辺部からは折れ線を介して外側板部（第２外側板部）２２ｃが連設され、また、この外側板部２２ｃの両側には、延設フラップ（第１延設フラップ）２８ｃ、３０ｃが折れ線を介して連設され、また、外側板部２２ｃの底板部１０側とは反対側の辺部からは縁板部（第２縁板部）２４ｃが折れ線を介して連設され、また、縁板部２４ｃの外側板部２２ｃ側とは反対側の辺部からは内側板部（第２内側板部）２６ｃが折れ線を介して連設され、また、内側板部２６ｃの両側には、延設フラップ（第２延設フラップ）３２ｃ、３４ｃが折れ線を介して連設され、さらには、内側板部２６ｃの縁板部２４ｃとは反対側の辺部からは底フラップ（第２底フラップ）４０ｃが連設されているが、これらの構成は、外側板部２２ａと、延設フラップ２８ａ、３０ａと、縁板部２４ａと、内側板部２６ａと、延設フラップ３２ａ、３４ａと、底フラップ４０ａと同じ構成であるので、詳しい説明を省略する。つまり、底板部１０の背面側（Ｙ２側）に設けられた各部材の構成は、底板部１０の正面側（Ｙ１側）に設けられた各部材の構成と線対称（Ｘ１−Ｘ２方向の中心線を介して線対称）に形成されている。また、延設フラップ２８ｃは、外側板部２２ｄと分離した構成であり（つまり、外側板部２２ｄとは連設されておらず、隣接箇所は切込みにより区画されている）、延設フラップ３０ｃは、外側板部２２ｂと分離した構成である（つまり、外側板部２２ｂとは連設されておらず、隣接箇所は切込みにより区画されている）。
【００４８】
なお、底フラップ４０ｃは、内側板部２６ｃの長手辺に沿って帯状に形成され、略細長長方形状を呈している。すなわち、底フラップ４０ｃと内側板部２６ｃ間の境界位置に沿って略コ字状の切込みＪ３、Ｊ４が設けられ、これにより、底フラップ４０ｃには、略細長長方形状の突状部４４ｃ、４６ｃが設けられているので、底フラップ４０ｃは、細長長方形状の本体部４２ｃと、突状部４４ｃ、４６ｃとを有しているといえる。なお、突状部４４ｃ、４６ｃは、間隔を介して設けられている。
【００４９】
ここで、底フラップ４０ｃの長手方向の長さは、内側板部２６ｃの長手方向の長さと略同一又は若干短く形成され、両側の端部において（Ｙ２側を背面側とした場合には、左右両側の端部において）、内側板部２６ｃとの間で切欠部Ｋ１ｃ、Ｋ２ｃが形成されている。
【００５０】
すなわち、切欠部Ｋ１ｃは、底フラップ４０ｃと内側板部２６ｃ間の境界位置におけるＸ１側の端部からＸ２側に向けて直線状（直線帯状、直線溝状としてもよい）に形成され、切欠部Ｋ１ｃの長さ（Ｘ１−Ｘ２方向の長さ）ｈ３は、底フラップ４０ｄの幅Ｌ１と略同一に形成され、長さｈ１は、少なくとも箱Ａの組立て状態において、底フラップ４０ｄの突状部４２ｄが係止する長さに形成されている。
【００５１】
同様に、切欠部Ｋ２ｃは、底フラップ４０ｃと内側板部２６ｃ間の境界位置におけるＸ２側の端部からＸ１側に向けて直線状（直線帯状、直線溝状としてもよい）に形成され、切欠部Ｋ２ｃの長さ（Ｘ１−Ｘ２方向の長さ）ｈ４は、底フラップ４０ｂの幅Ｌ２と略同一に形成され、長さｈ２は、少なくとも箱Ａの組立て状態において、底フラップ４０ｂの突状部４２ｂが係止する長さに形成されている。なお、切欠部Ｋ１ｃの長さｈ３と切欠部Ｋ２ｃの長さｈ４とは同一の長さとなっている。
【００５２】
また、切欠部Ｋ１ｃの基端部（基端位置としてもよい）から内側斜め上方に向けて（つまり、切欠部Ｋ２ｃ側に斜め上方に向けて）直線状の罫線Ｑ１が形成されている。厳密には、罫線Ｑ１は、内側板部２６ｃと底フラップ４０ｃ間の折れ線が切欠部Ｋ１ｃの基端部と接する位置から形成されている（なお、該折れ線が基端部と接する位置でなくても、該基端部から形成されていればよい）。この罫線Ｑ１は、内側板部２６ｃと縁板部２４ｃ間の折れ線に対する角度α１１が４５度（略４５度としてもよい）に形成され（よって、内側板部２６ｃと底フラップ４０ｃ間の折れ線と罫線Ｑ１も４５度（略４５度としてもよい）をなしている）、罫線Ｑ１は、箱に組み立てた状態での見栄えに支障を来さないために、箱Ａの組立て状態において、内側の面に形成されている。これにより、箱Ａの組立て状態においては、罫線Ｑ１は外側から視認できない。また、罫線Ｑ１における切欠部Ｋ１ｃ側の部分には、罫線Ｑ１に沿って直線状の切込みＱ１ａが複数（図３、図６の例では２つ）形成されている。切込みＱ１ａは、内側板部２６ｃの一方の面から他方の面まで貫通した切込みである。切込みＱ１ａが設けられることにより、罫線Ｑ１を介した湾曲（折曲げとしてもよい）が容易となるようになっている。
【００５３】
また、外側板部２２ｃには、罫線Ｑ２が形成されていて、罫線Ｑ２は、箱Ａの組立て状態において、内側板部２６ｃと外側板部２２ｃ間の仮想中心面（内側板部２６ｃと外側板部２２ｃと平行で内側板部２６ｃと外側板部２２ｃと等距離の仮想中心面）を介して罫線Ｑ１と対称に形成されている。つまり、罫線Ｑ１における上端位置Ｑ１−１と罫線Ｑ２における上端位置Ｑ２−１とは、Ｘ１−Ｘ２方向において同じ位置に形成され、また、罫線Ｑ２の外側板部２２ｃと縁板部２４ｃの折れ線に対する角度α１２は、α１１と同一に形成され、４５度（略４５度としてもよい）に形成されている。つまり、背面側構成部Ａ３（後述）の展開状態において、罫線Ｑ１と罫線Ｑ２とは線対称（つまり、縁板部２４ｃの外側板部２２ｃ側の辺部及び縁板部２４ｃの内側板部２６ｃ側の辺部と平行な中心線で、縁板部２４ｃの外側板部２２ｃ側の辺部及び縁板部２４ｃの内側板部２６ａ側の辺部と等距離にある中心線を中心に線対称）に形成されている。この罫線Ｑ２も箱に組み立てた状態での見栄えに支障を来さないために、箱Ａの組立て状態において、内側の面に形成されている（つまり、展開状態のブランクにおいては、罫線Ｑ１と罫線Ｑ２とは同じ面に形成されている）。
【００５４】
また、切欠部Ｋ２ｃの基端部（基端位置としてもよい）から内側斜め上方に向けて（つまり、切欠部Ｋ１ｃ側に斜め上方に向けて）直線状の罫線Ｑ３が形成されている。厳密には、罫線Ｑ３は、内側板部２６ｃと底フラップ４０ｃ間の折れ線が切欠部Ｋ２ｃの基端部と接する位置から形成されている（なお、該折れ線が基端部と接する位置でなくても、該基端部から形成されていればよい）。この罫線Ｑ３は、内側板部２６ｃと縁板部２４ｃ間の折れ線に対する角度α１３が４５度（略４５度としてもよい）に形成され（よって、内側板部２６ｃと底フラップ４０ｃ間の折れ線と罫線Ｑ３も４５度（略４５度としてもよい）をなしている）、罫線Ｑ３は、箱に組み立てた状態での見栄えに支障を来さないために、箱Ａの組立て状態において、内側の面に形成されている。これにより、箱Ａの組立て状態においては、罫線Ｑ３は外側から視認できない。また、罫線Ｑ３における切欠部Ｋ２ｃ側の部分には、罫線Ｑ３に沿って直線状の切込みＱ３ａが複数（図３、図６の例では２つ）形成されている。切込みＱ３ａは、内側板部２６ｃの一方の面から他方の面まで貫通した切込みである。切込みＱ３ａが設けられることにより、罫線Ｑ３を介した湾曲（折曲げとしてもよい）が容易となるようになっている。
【００５５】
また、外側板部２２ｃには、罫線Ｑ４が形成されていて、罫線Ｑ４は、箱Ａの組立て状態において、内側板部２６ｃと外側板部２２ｃ間の仮想中心面（内側板部２６ｃと外側板部２２ｃと平行で内側板部２６ｃと外側板部２２ｃと等距離の仮想中心面）を介して罫線Ｑ３と対称に形成されている。つまり、罫線Ｑ３における上端位置Ｑ３−１と罫線Ｑ４における上端位置Ｑ４−１とは、Ｘ１−Ｘ２方向において同じ位置に形成され、また、罫線Ｑ４の外側板部２２ｃと縁板部２４ｃの折れ線に対する角度α１４は、α１３と同一に形成され、４５度（略４５度としてもよい）に形成されている。つまり、背面側構成部Ａ３（後述）の展開状態において、罫線Ｑ３と罫線Ｑ４とは線対称（つまり、縁板部２４ｃの外側板部２２ｃ側の辺部及び縁板部２４ｃの内側板部２６ｃ側の辺部と平行な中心線で、縁板部２４ｃの外側板部２２ｃ側の辺部及び縁板部２４ｃの内側板部２６ｃ側の辺部と等距離にある中心線を中心に線対称）に形成されている。この罫線Ｑ４も箱に組み立てた状態での見栄えに支障を来さないために、箱Ａの組立て状態において、内側の面に形成されている（つまり、展開状態のブランクにおいては、罫線Ｑ３と罫線Ｑ４とは同じ面に形成されている）。
【００５６】
つまり、罫線Ｐ１、Ｐ３は、内側板部２６ａの一方の面で箱Ａの組立て状態において内側板部２６ａと対向する外側板部２２ａ側の面に形成され、罫線Ｑ１、Ｑ３は、内側板部２６ｃの一方の面で箱Ａの組立て状態において内側板部２６ｃと対向する外側板部２２ｃ側の面に形成され、罫線Ｐ２、Ｐ４は、外側板部２２ａの一方の面で箱Ａの組立て状態において外側板部２２ａと対向する内側板部２６ａ側の面に形成され、罫線Ｑ２、Ｑ４は、外側板部２２ｃの一方の面で箱Ａの組立て状態において外側板部２２ｃと対向する内側板部２６ｃ側の面に形成される。
【００５７】
なお、底板部１０のＹ２側の辺部から形成された各部（すなわち、外側板部２２ｃ、縁板部２４ｃ、内側板部２６ｃ、延設フラップ２８ｃ、３０ｃ、３２ｃ、３４ｃ、底フラップ４０ｃ）は、展開状態において、線対称に形成され（すなわち、Ｙ１側を正面側とした場合には、左右対称に形成されている）、底板部１０のＹ２側の辺部から形成された各部により背面側構成部（第２構成部）Ａ３が構成される。また、側壁部２０ｃは、背面側の側壁を形成するので、背面側構成部Ａ３から延設フラップ２８ｃ、３０ｃ、３２ｃ、３４ｃを除いた構成により構成されるといえる。
【００５８】
次に、底板部１０の左側の辺部からは折れ線を介して外側板部（第１外側板部）２２ｄが連設され、また、外側板部２２ｄの底板部１０側とは反対側の辺部からは縁板部（第１縁板部）２４ｄが折れ線を介して連設され、また、縁板部２４ｄの外側板部２２ｄ側とは反対側の辺部からは内側板部（第１内側板部）２６ｄが折れ線を介して連設され、さらには、内側板部２６ｄの縁板部２４ｄとは反対側の辺部からは底フラップ（第１底フラップ）４０ｄが形成されているが、これらの構成は、外側板部２２ｂと、縁板部２４ｂと、内側板部２６ｂと、底フラップ４０ｂと同じ構成であるので、詳しい説明を省略する。つまり、箱Ａの展開状態において、底板部１０の左側面側に設けられた各部材の構成は、底板部１０の右側面側に設けられた各部材の構成と同じである。また、箱Ａの展開状態において、底板部１０の左側面側の構成は、底板部１０の右側面側の構成とＹ１−Ｙ２方向の中心線を介して対称に構成されているといえる。
【００５９】
なお、底フラップ４０ｄは、細長の略長方形状を呈するが、長手方向の両側の端部は、外側に突出するようにテーパ状に形成されていて、底フラップ４０ｄの両側の端部には、略三角形状の突状部４２ｄ、４４ｄが形成されている。つまり、突状部４２ｄは、Ｙ１−Ｙ２方向には、内側板部２６ｄのＹ２側の端部よりもＹ２側に突出し、突状部４４ｄは、Ｙ１−Ｙ２方向には、内側板部２６ｄのＹ１側の端部よりもＹ１側に突出している。つまり、底フラップ４０ｄは細長長方形状の両側に突状部４２ｄと突状部４４ｄを設けた構成といえる。また、底フラップ４０ｄの幅（Ｘ１−Ｘ２方向の幅）は、底フラップ４０ａにおける本体部４２ａの幅（Ｙ１−Ｙ２方向の幅）と略同一に形成されている。
【００６０】
なお、底板部１０のＸ１側の辺部から形成された各部（すなわち、外側板部２２ｄ、縁板部２４ｄ、内側板部２６ｄ、底フラップ４０ｄ）は、展開状態において、線対称に形成され（すなわち、Ｙ１側を正面側とした場合には、前後対称に形成されている）、底板部１０のＸ１側の辺部から形成された各部により左側面側構成部（第１構成部）Ａ４が構成される。また、側壁部２０ｄは、左側面側の側壁を形成するので、左側面側構成部Ａ４と延設フラップ２８ａ、３２ａ、２８ｃ、３０ｃとから構成されているといえる。
【００６１】
上記構成の箱Ａの組立て方法について説明すると、内側板部２６ａを縁板部２４ａに対して折り曲げ、さらに、縁板部２４ａを外側板部２２ａに対して折り曲げて、内側板部２６ａを外側板部２２ａの上方に略平行になるようにする。これにより、延設フラップ３２ａが延設フラップ２８ａの上方に位置し、延設フラップ３４ａが延設フラップ３０ａの上方に位置する。また、同様に、内側板部２６ｃを縁板部２４ｃに対して折り曲げ、さらに、縁板部２４ｃを外側板部２２ｃに対して折り曲げて、内側板部２６ｃを外側板部２２ｃの上方に略平行になるようにする。これにより、延設フラップ３２ｃが延設フラップ２８ｃの上方に位置し、延設フラップ３４ｃが延設フラップ３０ｃの上方に位置する。
【００６２】
そして、外側板部２２ａを底板部１０に対して起立させ、また、延設フラップ２８ａ、３０ａ、３２ａ、３４ａを底板部１０側に折り曲げておく。また、同様に、外側板部２２ｃを底板部１０に対して起立させ、また、延設フラップ２８ｃ、３０ｃ、３２ｃ、３４ｃを底板部１０側に折り曲げておく。
【００６３】
そして、外側板部２２ｂを底板部１０に対して折り曲げ、さらに、縁板部２４ｂを外側板部２２ｂに対して折り曲げるとともに、内側板部２６ｂを縁板部２４ｂに対して折り曲げるとともに、延設フラップ３０ａ、３４ａ、２８ｃ、３２ｃに被せて、延設フラップ３０ａ、３４ａ、２８ｃ、３２ｃが外側板部２２ｂと内側板部２６ｂ間に挟まれた状態とする。その際、底フラップ４０ｂの突状部４２ｂを切欠部Ｋ２ｃに係止させ、突状部４４ｂを切欠部Ｋ２ａに係止させる。つまり、図７に示す状態となる。
【００６４】
また、同様に、外側板部２２ｄを底板部１０に対して折り曲げ、さらに、縁板部２４ｄを外側板部２２ｄに対して折り曲げるとともに、内側板部２６ｄを縁板部２４ｄに対して折り曲げるとともに、延設フラップ２８ａ、３２ａ、３０ｃ、３４ｃに被せて、延設フラップ２８ａ、３２ａ、３０ｃ、３４ｃが外側板部２２ｄと内側板部２６ｄ間に挟まれた状態とする。その際、底フラップ４０ｄの突状部４２ｄを切欠部Ｋ１ｃに係止させ、突状部４４ｄを切欠部Ｋ１ａに係止させる。例えば、突状部４２ｄが切欠部Ｋ１ｃに係止した状態は、図２のようになる。以上のようにして、箱Ａが組み立てられる。
【００６５】
箱Ａの組立て状態では、底フラップ４０ａ、４０ｂ、４０ｃ、４０ｄの下面、底板部１０の上面に接した状態となっている。
【００６６】
なお、底フラップ４０ｂの両側の突状部４２ｂ、４４ｂが切欠部Ｋ２ｃ、Ｋ２ａに係止し、底フラップ４０ｄの両側の突状部４２ｄ、４４ｄが切欠部Ｋ１ｃ、Ｋ１ａに係止するので、箱Ａの組立て状態を強固に保つことができる。
【００６７】
次に、箱Ａを解体する場合について説明する。箱Ａを解体するには、側壁部２０ａと側壁部２０ｃの端部付近（罫線が形成される領域）を両手でつかんで外側に押し広げることにより解体を行なう。
【００６８】
すなわち、側壁部２０ｄ側を解体する場合について説明すると、図８に示すように、側壁部２０ａの側壁部２０ｄ側の端部領域（具体的には、罫線Ｐ１の箇所）を左手でつかみ、側壁部２０ｃの側壁部２０ｄ側の端部領域（具体的には、罫線Ｑ１の箇所）を右手でつかむ。つまり、左手の親指を内側板部２６ａの罫線Ｐ１の箇所（すなわち、内側板部２６ａの罫線Ｐ１の箇所の表側の箇所（内側板部２６ａの表側の面における罫線Ｐ１に対応する箇所））に当てた状態で側壁部２０ａをつかみ、右手の親指を内側板部２６ｃの罫線Ｑ１の箇所（すなわち、内側板部２６ｃの罫線Ｑ１の箇所の表側の箇所（内側板部２６ａの表側の面における罫線Ｑ１に対応する箇所））に当てた状態で側壁部２０ｃをつかむ。なお、切込みＰ１ａ、Ｑ１ａが設けられているので、罫線Ｐ１、Ｑ１の位置を推測するのに役立ち、切込みＰ１ａ、Ｑ１ａのやや手前側をつかめばよい。
【００６９】
その後、側壁部２０ａと側壁部２０ｃを外側に倒すように押し広げる。すると、側壁部２０ａが罫線Ｐ１、Ｐ２を介して湾曲（折曲でもよい）しながら外側に倒れる（つまり、内側板部２６ａが罫線Ｐ１を介して湾曲し、外側板部２２ａが罫線Ｐ２を介して湾曲し、内側板部２６ｃが罫線Ｑ１を介して湾曲し、外側板部２２ｃが罫線Ｑ２を介して湾曲する）ので、突状部４４ｄの切欠部Ｋ１ａへの係止が解除され、側壁部２０ｃが罫線Ｑ１、Ｑ２を介して湾曲（折曲でもよい）しながら外側に倒れるので、突状部４２ｄの切欠部Ｋ１ｃへの係止が解除される（図９参照）。
【００７０】
ここで、罫線Ｐ１は切欠部Ｋ１ａの基端部から形成され、罫線Ｐ２は罫線Ｐ１と対称に形成されていて、罫線Ｐ１、Ｐ２は、内側板部２６ａや外側板部２２ａのＸ１側の角部から形成されているのではなく、罫線Ｐ１の下端は内側板部２６ａのＸ１側の下端とは切欠部Ｋ１ａの長さ分だけ内側板部２６ａのＸ１側の角部から離れており、罫線Ｐ２の下端は外側板部２２ａのＸ１側の下端とは切欠部Ｋ１ａの長さ以上の長さ分だけ外側板部２２ａのＸ１側の角部から離れているので、罫線Ｐ１、Ｐ２が角部から形成されている場合に比べて、側壁部２０ａを大きく湾曲させることができ、突状部４４ｄとの係止を解除させやすい。
【００７１】
同様に、罫線Ｑ１は切欠部Ｋ２ａの基端部から形成され、罫線Ｑ２は罫線Ｑ１と対称に形成されていて、罫線Ｑ１、Ｑ２は、内側板部２６ｃや外側板部２２ｃのＸ１側の角部から形成されているのではなく、罫線Ｑ１の下端は内側板部２６ｃのＸ１側の下端とは切欠部Ｋ１ｃの長さ分だけ内側板部２６ｃのＸ１側の角部から離れており、罫線Ｑ２の下端は外側板部２２ｃのＸ１側の下端とは切欠部Ｋ１ｃの長さ以上の長さ分だけ外側板部２２ｃのＸ１側の角部から離れているので、罫線Ｑ１、Ｑ２が角部から形成されている場合に比べて、側壁部２０ｃを大きく湾曲させることができ、突状部４２ｄとの係止を解除させやすい。また、角度α１、α２、α１１、α１２が４５度（略４５度としてもよい）に形成されているので、大きく湾曲させることができる。
【００７２】
また、切込みＰ１ａ、Ｑ１ａが設けられているので、内側板部２６ａ、２６ｃを容易に湾曲させることができ、突状部４４ｄ、４２ｄの係止の解除が容易となる。
【００７３】
突状部４４ｄ、４２ｄの切欠部Ｋ１ａ、Ｋ１ｃへの係止が解除されると、右側面側構成部Ａ２がシート状に復帰しようとして、隣接する各部のなす角度が鈍角になるので（つまり、底面部１０と外側板部２２ｂ間の角度や、外側板部２２ｂと縁板部２４ｂ間の角度や、縁板部２４ｂと内側板部２６ｂ間の角度が鈍角になる）、内側板部２２ｄが上方に浮き上がった状態となる。
【００７４】
また、突状部４４ｄ、４２ｄの切欠部Ｋ１ａ、Ｋ１ｃへの係止が解除されると、側壁部２０ａと側壁部２０ｃを外側に倒すように押し広げたことにより、底フラップ４０ａ、４０ｃが回動して底フラップ４０ａ、４０ｃの内側の辺部が上昇し、底フラップ４０ａ、４０ｃが底フラップ４０ｄを持ち上げる。
【００７５】
さらに、側壁部２０ａを外側に倒すことにより、延設フラップ２８ａ、３２ａが回動して延設フラップ２８ａ、３２ａの先端が上向きに回転し、側壁部２０ｃを外側に倒すことにより、延設フラップ２８ｃ、３２ｃが回動して延設フラップ２８ｃ、３２ｃの先端が上向きに回転するので、内側板部２６ｄを上方に押し上げることができ、図１０、図１１に示すように、内側板部２６ｄが斜め上向きになるまで広げることができる。
【００７６】
なお、厳密には、延設フラップ２８ａと延設フラップ３２ａは互いに平行に設けられており、原則として、延設フラップ２８ａと延設フラップ３２ａの両方が内側板部２６ｄを押し上げるが、延設フラップ２８ａと外側板部２２ａ間の折れ線の向きと延設フラップ３２ａと内側板部２６ａ間の折れ線の向きとが一致しないこと等により延設フラップ２８ａの上端と延設フラップ３２ａの上端のいずれかが上位置にある場合があり、その場合には、上端が上位置にある延設フラップが内側板部２６ｄを押し上げることになる。つまり、延設フラップ２８ａと延設フラップ３２ａの少なくともいずれかが内側板部２６ｄを押し上げることになる。
【００７７】
同様に、延設フラップ２８ｃと延設フラップ３２ｃは互いに平行に設けられており、原則として、延設フラップ２８ｃと延設フラップ３２ｃの両方が内側板部２６ｄを押し上げるが、延設フラップ２８ｃと外側板部２２ｃ間の折れ線の向きと延設フラップ３２ｃと内側板部２６ｃ間の折れ線の向きとが一致しないこと等により延設フラップ２８ｃの上端と延設フラップ３２ｃの上端のいずれかが上位置にある場合があり、その場合には、上端が上位置にある延設フラップが内側板部２６ｄを押し上げることになる。つまり、延設フラップ２８ｃと延設フラップ３２ｃの少なくともいずれかが内側板部２６ｄを押し上げることになる。
【００７８】
また、角度α１、α２、α１１、α１２が４５度（略４５度としてもよい）に形成されているので、大きく延設フラップを大きく回転させることができる。以上のようにして、側壁部２０ｄ側を解体することができる。
【００７９】
なお、罫線Ｐ１、Ｐ２は、内側板部２６ａや外側板部２２ａのＸ１側の角部から形成されているのではなく角部から離れていて、側壁部２０ａを大きく湾曲できるので、延設フラップ２８ａ、３２ａを大きく回動させることができ、同様に、罫線Ｑ１、Ｑ２は、内側板部２６ｃや外側板部２２ｃのＸ１側の角部から形成されているのではなく角部から離れていて、側壁部２０ｃを大きく湾曲できるので、延設フラップ２８ｃ、３２ｃを大きく回動させることができ、よって、内側板部２６ｄを大きく上向きに広げることができる。
【００８０】
また、側壁部２０ｂ側の解体についても、側壁部２０ｄ側の場合と同様であるので、詳しい説明を省略する。
【００８１】
すなわち、側壁部２０ｃの側壁部２０ｂ側の端部領域（具体的には、罫線Ｑ３の箇所）を左手でつかみ、側壁部２０ａの側壁部２０ｂ側の端部領域（具体的には、罫線Ｐ３の箇所）を右手でつかみ（切込みＱ３ａ、Ｐ３ａが設けられているので、罫線Ｐ３、Ｑ３の位置を推測するのに役立ち、切込みＱ３ａ、Ｐ３ａのやや手前側をつかめばよい）、その後、側壁部２０ａと側壁部２０ｃを外側に倒すように押し広げると、側壁部２０ｃが罫線Ｑ３、Ｑ４を介して湾曲（折曲でもよい）しながら外側に倒れるので、突状部４２ｂの切欠部Ｋ２ｃへの係止が解除され、側壁部２０ａが罫線Ｐ３、Ｐ４を介して湾曲（折曲でもよい）しながら外側に倒れるので、突状部４４ｂの切欠部Ｋ２ａへの係止が解除される。
【００８２】
その後、突状部４２ｂ、４４ｂの切欠部Ｋ２ｃ、Ｋ２ａへの係止が解除されると、底フラップ４０ａ、４０ｃが底フラップ４０ｂを持ち上げるとともに、右側面側構成部Ａ２がシート状に復帰しようとして、内側板部２２ｂが上方に浮き上がった状態となり、さらに、側壁部２０ｃを外側に倒すことにより、延設フラップ３０ｃ、３４ｃが回動して延設フラップ３０ｃ、３４ｃの先端が上向きに回転し、側壁部２０ａを外側に倒すことにより、延設フラップ３０ａ、３４ａが回動して延設フラップ３０ａ、３４ａの先端が上向きに回転するので、内側板部２６ｂを上方に押し上げることができ、内側板部２６ｂが斜め上向きになるまで広げることができ、側壁部２０ｂ側を解体することができる。
【００８３】
以上のように、本実施例の箱Ａにおいては、側壁部２０ａと側壁部２０ｃの端部付近（罫線が形成される領域）を両手でつかんで外側に押し広げるという簡単な操作により解体を行なうことができるので、解体が容易である。また、罫線Ｐ１〜Ｐ４、Ｑ１〜Ｑ４は箱Ａの内側の面に形成されているので、箱の見栄えには支障がない。
【００８４】
なお、罫線Ｐ１〜Ｐ４、Ｑ１〜Ｑ４は箱Ａの外側の面に形成してもよい。すなわち、罫線自体は、穴部や切欠きと異なり目立たないことから、箱Ａの外側の面に形成しても箱の見栄えに支障はないといえる。つまり、罫線Ｐ１〜Ｐ４、Ｑ１〜Ｑ４は、箱Ａの展開状態において、同じ側の面に形成されていればよく、箱Ａの展開状態における一方の面又は他方の面のいずれかに形成されていればよい。なお、罫線Ｐ１〜Ｐ４、Ｑ１〜Ｑ４を箱Ａの内側に形成するのが箱の見栄えという点ではより好ましいといえる。
【００８５】
また、上記の説明では、延設フラップ２８ａ、２８ｃは隣接する外側板部２２ｄと分離した構成であり、延設フラップ３０ａ、３０ｃは隣接する外側板部２２ｂと分離した構成であるとしたが、図１２に示すように、外側板部２２ｄ、２２ｂに折れ線を介して連設されたフラップで、二つ折りの状態で挟持させるものであってもよい。
【００８６】
すなわち、図１２におけるフラップ（延設フラップ）２８ａは、外側板部２２ａ及び外側板部２２ｄと折れ線を介して連設され、それらの折れ線に対して４５度の角度に形成された折れ線２８ａ−１を介して二つ折りになり、フラップ（延設フラップ）２８ｃは、外側板部２２ｃ及び外側板部２２ｄと折れ線を介して連設され、それらの折れ線に対して４５度の角度に形成された折れ線２８ｃ−１を介して二つ折りになり、箱Ａの組立て状態において、延設フラップ２８ａ、２８ｃは、二つ折りの状態で外側板部２２ｄと内側板部２６ｄにより挟まれた状態となる。
【００８７】
同様に、図１２におけるフラップ（延設フラップ）３０ａは、外側板部２２ａ及び外側板部２２ｂと折れ線を介して連設され、それらの折れ線に対して４５度の角度に形成された折れ線３０ａ−１を介して二つ折りになり、フラップ（延設フラップ）３０ｃは、外側板部２２ｃ及び外側板部２２ｂと折れ線を介して連設され、それらの折れ線に対して４５度の角度に形成された折れ線３０ｃ−１を介して二つ折りになり、箱Ａの組立て状態において、延設フラップ３０ａ、３０ｃは、二つ折りの状態で外側板部２２ｂと内側板部２６ｂにより挟まれた状態となる。
【００８８】
なお、図１２に示す構成においては、延設フラップ２８ａ、２８ｃ、３０ａ、３０ｃ以外は、図３に示す構成と同様の構成である。
【００８９】
図１２に示すように、延設フラップ２８ａ、２８ｃ、３０ａ、３０ｃを図１２に示す構成とした場合には、二つ折りの状態では延設フラップ２８ａ、２８ｃ、３０ａ、３０ｃは先端に向かって下方に傾斜するので、解体の際には、内側板部から連設された延設フラップ３２ａ、３４ａ、３２ｃ、３４ｃが主として内側板部２６ｄ、２６ｂを押し上げることになる。ただし、延設フラップ３２ａ、３４ａ、３２ｃ、３４ｃとそれらが連設された内側板部との折れ線の向きによっては、二つ折りとした延設フラップ２８ａ、２８ｃ、３０ａ、３０ｃの上端が延設フラップ３２ａ、３４ａ、３２ｃ、３４ｃの上端よりも上側となり、二つ折りとした延設フラップが内側板部２６ｄ、２６ｂの押し上げに寄与することもあり得る。
【００９０】
また、上記の構成において、縁板部２４ａ、２４ｂ、２４ｃ、２４ｄの構成を省略してもよく、その場合には、正面側構成部Ａ１の展開状態において、罫線Ｐ１と罫線Ｐ２とは外側板部２２ａと内側板部２６ａ間の折れ線を中心に線対称に形成され、罫線Ｐ３と罫線Ｐ４とは外側板部２２ａと内側板部２６ａ間の折れ線を中心に線対称に形成され、背面側構成部Ａ３の展開状態において、罫線Ｑ１と罫線Ｑ２とは外側板部２２ｃと内側板部２６ｃ間の折れ線を中心に線対称に形成され、罫線Ｑ３と罫線Ｑ４とは外側板部２２ｃと内側板部２６ｃ間の折れ線を中心に線対称に形成されることになる。
【００９１】
また、角度α１、α２、α３、α４、α１１、α１２、α１３、α１４が４５度（略４５度としてもよい）に形成されているとしたが、罫線Ｐ１〜Ｐ４、Ｑ１〜Ｑ４が下端から内側斜め上方に向けて形成される角度（つまり、鋭角）であれば他の角度でもよい。
【００９２】
なお、上記において、「延設フラップ」の語は、「挿入フラップ」、「差込みフラップ」、「挟設フラップ」、「挟持フラップ」、「縦フラップ」のいずれかとしてもよい。
【符号の説明】
【００９３】
Ａ 箱
１０  底板部
２０ａ、２０ｂ、２０ｃ、２０ｄ  側壁部
２２ａ、２２ｂ、２２ｃ、２２ｄ  外側板部
２４ａ、２４ｂ、２４ｃ、２４ｄ  縁板部
２６ａ、２６ｂ、２６ｃ、２６ｄ  内側板部
２８ａ、３０ａ、３２ａ、３４ａ、２８ｃ、３０ｃ、３２ｃ、３４ｃ  延設フラップ
４０ａ、４０ｂ、４０ｃ、４０ｄ  底フラップ
４２ａ、４２ｃ  本体部
４４ａ、４６ａ、４２ｂ、４４ｂ、４４ｃ、４６ｃ、４２ｄ、４４ｄ  突状部
Ａ１  正面側構成部
Ａ２  右側面側構成部
Ａ３  背面側構成部
Ａ４  左側面側構成部
Ｋ１ａ、Ｋ２ａ、Ｋ１ｃ、Ｋ２ｃ  切欠部
Ｐ１、Ｐ２、Ｐ３、Ｐ４、Ｑ１、Ｑ２、Ｑ３、Ｑ４  罫線
【図１】
2016097986.tif 000003
【図２】
2016097986.tif 000004
【図３】
2016097986.tif 000005
【図４】
2016097986.tif 000006
【図５】
2016097986.tif 000007
【図６】
2016097986.tif 000008
【図７】
2016097986.tif 000009
【図８】
2016097986.tif 000010
【図９】
2016097986.tif 000011
【図１０】
2016097986.tif 000012
【図１１】
2016097986.tif 000013
【図１２】
2016097986.tif 000014
【図１３】
2016097986.tif 000015
【図１４】
2016097986.tif 000016